(57)【要約】本発明は、デジタル権利を管理する方法及びシステムに関する。本発明は、デジタルバウチャ（１００）が、コンテンツプロバイダのサーバ（１０４）上にあるデジタルコンテンツにアクセスするアクセス制御情報を備えているという発想に基づく。前記デジタルコンテンツの消費者は、前記バウチャ（１００）を、バーコードリーダ又はＲＦ検出器（１０２）等によって読み出す。この読み出し手段（１０２）は、コンピュータ、移動電話、ＰＤＡ又はセットトップボックス等のような、何らかの計算手段（１０３）に接続されている。前記計算手段（１０３）は、前記アクセス制御情報を、コンテンツプロバイダのサーバ（１０４）に転送する。前記アクセス制御情報が転送されるサーバ（１０４）は、前記アクセス制御情報を処理し、この処理の結果に依存して、前記計算手段（１０３）は、前記サーバ（１０４）上にあるデジタルコンテンツへの、様々なレベルのアクセス権を付与される。
2006504174.tif 000002
【特許請求の範囲】
【請求項１】
―  デジタルバウチャ、
―  デジタルバウチャリーダを備える計算手段、及び
―  デジタルコンテンツを記憶するサーバ、
を有するデジタル権利を管理するシステムにおいて、
―  前記デジタルバウチャは、前記サーバ上にある前記デジタルコンテンツへのアクセスを制御するアクセス制御情報を記憶し、
―  前記デジタルバウチャリーダを備える前記計算手段は、前記デジタルバウチャと通信し、前記アクセス制御情報を、前記デジタルバウチャから前記サーバに転送し、
―  前記サーバは、前記アクセス制御情報の処理の結果に基づいて、前記計算手段に、前記サーバ上にあるデジタルコンテンツへのアクセス権を付与する、
ことを特徴とする、デジタル権利を管理するシステム。
【請求項２】
前記サーバが特定のサーバであって、前記アクセス制御情報が、前記特定のサーバ上にあるデジタルコンテンツにアクセスする識別番号を含む、請求項１に記載のシステム。
【請求項３】
前記アクセス制御情報が、あらゆるサーバ上にあるデジタルコンテンツにアクセスするデジタル権利を含む、請求項１に記載のシステム。
【請求項４】
前記デジタルバウチャが、前記サーバへの参照を有している、請求項１に記載のシステム。
【請求項５】
前記デジタルバウチャリーダを備えている前記計算手段が、前記参照によって、前記サーバとの接続を確立する、請求項４に記載のシステム。
【請求項６】
デジタル権利を管理する方法であって、
―  デジタルバウチャ内に記憶されているアクセス制御情報を、デジタルバウチャリーダを備える計算手段によって読み出し、前記アクセス制御情報は、サーバ上にあるデジタルコンテンツへのアクセスを制御するステップ、
―  前記アクセス制御情報を、前記デジタルバウチャから前記サーバに、前記デジタルバウチャリーダを備える前記計算手段によって転送するステップ、及び
―  前記デジタルバウチャリーダを備える前記計算手段によって、前記サーバ上にあるデジタルコンテンツへのアクセス権を要求し、前記サーバの、前記アクセス制御情報の処理に基づいて、アクセス権を得るステップ、
を有する、方法。
【請求項７】
前記サーバが特定のサーバであって、前記アクセス制御情報が、前記特定のサーバ上にあるデジタルコンテンツにアクセスする識別番号を含む、請求項６に記載の方法。
【請求項８】
前記アクセス制御情報が、あらゆるサーバ上にあるデジタルコンテンツにアクセスするデジタル権利を含む、請求項６に記載の方法。
【請求項９】
前記デジタルバウチャから、前記サーバへの参照を読み出すステップを含む、請求項６に記載の方法。
【請求項１０】
―  デジタルバウチャリーダを備える前記計算手段を介して、前記参照によって前記サーバとの接続を確立するステップ、
を含む、請求項９に記載の方法。
【請求項１１】
デジタル権利を管理する方法であって、
―  デジタルバウチャ内にアクセス制御情報を記憶し、前記アクセス制御情報は、サーバ上にあるデジタルコンテンツへのアクセスを制御するステップ、
―  前記デジタルバウチャ内に記憶された前記アクセス制御情報を、デジタルバウチャリーダを備える計算手段によって読み出すステップ、
―  前記アクセス制御情報を、前記デジタルバウチャから前記サーバまで、前記デジタルバウチャリーダを備える前記計算手段によって転送するステップ、
―  前記アクセス制御情報を、前記サーバにおいて処理するステップ、及び
―  前記計算手段に、前記アクセス制御情報の処理に基づいて、前記サーバ上にあるデジタルコンテンツへのアクセス権を付与するステップ、
を有する、デジタル権利を管理する方法。
【発明の詳細な説明】
【技術分野】
【０００１】
本発明は、デジタル権利（digital rights）を管理するシステム及び方法に関する。
【背景技術】
【０００２】
デジタル情報又はコンテンツを購入する場合に、一般的な方法は、所望のインターネットサイトを指定するＵＲＬアドレスをウェブブラウザにタイプ入力し、クレジットカード番号を指定し、所望のデジタル情報をダウンロードすることである。クレジットカードに、所与の額の請求がされ、ダウンロードした前記情報へのアクセス権を得る。例えば、あなたが、音楽プロバイダのサイトにログオンする。前記サイトで、あなたは、ダウンロードしたい曲を選択する。前記プロバイダは、あなたのクレジットカード番号を尋ね、あなたは、前記サイト上のフィールドにタイプ入力し、該プロバイダは、所望の前記曲に対する＄２．４９をあなたに請求し、あなたは、選択した該曲を自身のハードディスクにダウンロードできるようになる。今や、あなたは、前記曲へのアクセス権を有している。前記曲に関するデジタル権利は、実際の曲と共に供給される。前記曲に関する権利の種類は、多様であり得る。例えば、「無制限の再生」、「コピーワンス」及び「放送」等のような、多数の権利が存在する。
【０００３】
これは、映画、書籍、及び音楽等のようなデジタル情報へにアクセスする迅速でスムーズな仕方である。このような態様のデジタル情報のダウンロードに対する、従来の代替案は、レコード店、書店又はビデオ店に行き、前記情報の物理的な複製品、即ち媒体上に位置された該情報を購入する又は賃借することである。明らかに、インターネットからの情報の前記ダウンロードは、ユーザがデジタル情報へのアクセスを達成するのに非常に便利な方式である。
【０００４】
電子商取引（e-commerce）及びオンラインショッピングに関する問題は、ユーザが、典型的には、自身のクレジットカード番号を、コンテンツプロバイダに対して指定せずには、取引を完了することができない事実である。多くの人が、このことを、危険に感じ、自身のカード番号をインターネット上で明かすことへの不快感すら抱いている。クレジットカード番号の指定に対する代替的案は、請求書毎の支払いである。このことは、前記取引が、前記請求書の支払いがされるまでは完了しないため、厄介であると感じられ得る。顧客は、時々、前記請求書を忘れる傾向にあり、該請求書が届いたときには、既に、該請求書用のお金を消費している。結果として、ユーザは電子商取引サービスを全く使用しないのに対し、小売店に行き、現金又はクレジットカードのいずれかによって支払うことは、人々にとって習慣的であり、心地良い。
【０００５】
小売店からビデオカセットのような製品を販売する又は貸与する場合に、前記電子商取引の場合のように、様々な種類の権利を情報製品に関連付けることが可能である。米国特許第６,２０１,４７４号明細書は、ビデオカセットに付されるＲＦＩＤトランスポンダを記載している。前記トランスポンダは、該カセットの認証、該カセットの再生の可能化／不可能化、及び該カセットが再生された回数の記録等を可能にするデータを有してプログラムされることができる。前記カセットが、ＲＦＩＤを備えたＶＣＲ内に挿入された場合、該ＶＣＲは、例えば、存在するのであれば、該装置の再生を不可能にするプログラムされたコードをチェックするために、該トランスポンダと通信する。販売の際に、前記小売店の店員は、このコードを前記ＲＦＩＤトランスポンダから消去し、顧客が、該カセットを再生するのを可能にすることができる。
【発明の開示】
【発明が解決しようとする課題】
【０００６】
米国特許第６,２０１,４７４号明細書に関する問題は、前記ＲＦＩＤトランスポンダ内にプログラムされている、デジタル権利のようなデータが、あるコンテンツ、即ちビデオカセットの該コンテンツと、特定の媒体、即ち該カセットとに結合されていることにある。
【０００７】
本発明の目的は、これによってデジタル権利を、いかなる著作権で保護されたコンテンツとも関連づけられることができる製品として、取り扱うことができるシステム及び方法を得ることにある。
【０００８】
本発明の他の目的は、デジタル権利の円滑な管理を可能にすることにある。
【課題を解決するための手段】
【０００９】
これらの目的は、添付請求項における、請求項１によるデジタル権利を管理するシステム、請求項６によるデジタル権利を管理する方法、及び請求項１１によるデジタル権利を管理する方法によって達成される。好適実施例は、従属請求項によって規定される。
【００１０】
本発明の第１の見地によれば、デジタルバウチャと、該デジタルバウチャリーダを備える計算手段と、デジタルコンテンツを記憶するサーバとを有するシステムが、提供される。前記デジタルバウチャは、前記サーバ上にあるデジタルコンテンツへのアクセスを制御するアクセス制御情報を記憶する。前記計算手段は、デジタルバウチャリーダを備えており、前記デジタルバウチャと通信し、前記アクセス制御情報を該デジタルバウチャからサーバに転送する。前記サーバは、前記計算手段に、前記アクセス制御情報の処理の結果に基づいて、該サーバ上にあるデジタルコンテンツへのアクセス権を付与する。
【００１１】
本発明の第２の見地によれば、アクセス制御情報がデジタルバウチャから読み出される方法であって、該アクセス制御情報が、サーバ上にあるデジタルコンテンツへのアクセスを制御する方法が、提供される。前記デジタルバウチャ内に記憶される前記アクセス制御情報は、デジタルバウチャリーダを備える計算手段によって読み出され、該デジタルバウチャから前記サーバに、該デジタルバウチャリーダを備える該計算手段によって転送される。前記計算手段は、前記サーバ上にあるデジタルコンテンツへのアクセス権を必要とし、前記サーバの前記アクセス制御情報の処理に基づいて、アクセス権を得る。
【００１２】
本発明の第３の見地によれば、アクセス制御情報がデジタルバウチャ内に記憶される方法であって、該アクセス制御情報が、サーバ上にあるデジタルコンテンツへのアクセスを制御する方法が、提供される。前記デジタルバウチャ内に記憶されるアクセス制御情報は、デジタルバウチャリーダを備える計算手段によって読み出され、該デジタルバウチャから前記サーバに、該デジタルバウチャリーダを備える該計算手段によって転送される。前記アクセス制御情報は、前記サーバにおいて処理され、該サーバ上にあるデジタルコンテンツへのアクセス権が、該アクセス制御情報の処理に基づいて該計算手段に付与される。
【００１３】
本発明は、デジタルバウチャが、いくつかの小売店において購入されるという発想に基づく。前記デジタルバウチャは、コンテンツプロバイダのサーバ上にあるデジタルコンテンツにアクセスするためのアクセス制御情報を有している。デジタルコンテンツの消費者は、バーコードリーダ又はＲＦ検出器等によって、前記バウチャを読み出す。この読み出し手段は、コンピュータ、移動電話、ＰＤＡ、及びセットトップボックス等のようないくつかの計算手段に接続されている。前記計算手段は、前記アクセス制御情報を、コンテンツプロバイダのサーバに転送する。前記アクセス制御情報が転送される前記サーバは、該アクセス制御情報を処理し、この処理の結果に依存して、該計算手段は、該サーバ上にあるデジタルコンテンツへの様々なレベルのアクセス権を付与される。
【００１４】
上述の概念の利点は、購入に関する金銭取引が、前記小売店において実施されることにある。顧客は、自身のクレジットカード番号を、インターネット経由でコンテンツプロバイダに対して指定する必要がない。通常、多くの人は、自身のクレジットカード番号をインターネット上で明かすのを危険に感じる。顧客が、代替的な支払い形式として、実際の購入後しばらくして受け取る請求書を支払うことによって購入を完了することも、前記バウチャが前記小売店において支払われるので、必要ない。
【００１５】
他の利点は、前記デジタル権利は、いかなる特定の著作権保護されたコンテンツにも関連付けられていないので、該デジタル権利自体を、分離した製品として見ることができることである。
【００１６】
有利には、前記アクセス制御情報は、前記デジタルバウチャ内に安全な態様で記憶されているデジタル権利から成る。これは、前記デジタル権利は、標準ＤＲＭ（デジタル権利管理（Digital Rights Management））言語（例えば、ＸｒＭＬ、ＯＤＲＬ、又はあらゆるプロバイダが判読し、処理することのできる他の種類の標準ＤＲＭ言語）において、表現されることができるので、あらゆるプロバイダのあらゆるコンテンツとも関連付けられることができるという利点を有する。
【００１７】
好ましくは、前記アクセス制御情報は、識別番号から成る。顧客の注文は、識別番号コンテンツプロバイダのサーバにおいて登録され、該サーバは、識別番号を返す。前記コンテンツプロバイダのサーバは、特定のプロバイダによって所有されているコンテンツを記憶するサーバであっても良いが、複数のコンテンツプロバイダからの前記コンテンツを併せ持つサーバであっても良い。前記識別番号と、顧客がコンテンツを購入することのできる金額と、ユーザが前記サーバ上のデジタルコンテンツに対して有するデジタル権利の種類とが、ここで、前記コンテンツプロバイダのサーバにおいて記憶される。前記識別番号は、前記デジタルバウチャ内に入れられ、取引が完了する。この実施例は、単純な識別番号は、安全に記憶され暗号化されるべきであるデジタル権利と比較すると、取り扱い易いという利点を有する。
【００１８】
有利には、前記デジタルバウチャは、コンテンツプロバイダのサーバへの参照を有している。この参照は、前記計算手段によって、該参照が指定しているサーバを発見するのに有利に使用されることができ、これによって、ユーザは、アドレスのような指定情報を、手入力で前記計算手段に書き込まなくて良い。デジタルバウチャリーダを備える前記計算手段が、前記参照によってサーバとの接続を確立する。前記リーダが、サーバのＵＲＬアドレスのような前記参照を前記計算手段に転送する場合、該計算手段は、指定されているサーバへとの接続を確立し、該サーバに、前記アクセス制御情報を転送する。これは、前記ユーザから最小限の手作業しか必要としない。前記ユーザは、前記デジタルバウチャを読み出し、所望のコンテンツをダウンロードするときまでは何もしなくて良い。アクセス制御情報が、何か特定のデジタルコンテンツに前もって関連付けられている場合には、前記計算手段は、同様に前記コンテンツのダウンロードを実行することができる。
【００１９】
前記デジタルバウチャは、個人的なものではないので、前記バウチャを読むのに必要な機器にアクセスできる誰にでも使用されることができることに留意されたい。
【発明を実施するための最良の形態】
【００２０】
本発明の更なるフィーチャ及び利点は、添付請求項、及び添付図面を熟読する際に、明らかになるであろう。当業者であれば、本発明の異なるフィーチャが、以下に記載される実施例以外の実施例を作成するように組み合わせられることができることを、理解するであろう。多くの異なる代替案、変形、及び組み合わせが、当業者にとって明らかになるであろう。従って、記載される実施例は、添付請求項によって規定されている本発明の範囲を限定するものとみなしてはならない。
【００２１】
本発明の実施例の説明は、以下に添付図面を参照して記載される。
【００２２】
本発明によるデジタルバウチャの概念の実施例において、顧客は、小売店に立ち寄り、デジタルコンテンツを購入したいと思っている。前記顧客は、実際のコンテンツ又は実際のコンテンツプロバイダさえも、必ずしも特定したいとは思わないが、該顧客は、何らかの種類のデジタル権利を購入する可能を有している。前記デジタル権利は、様々な異なる種類の権利（例えば、「無制限の再生」「コピーワンス、再生禁止」、「ＣＤ−Ｒへの焼き込み」及び「放送」等）のうちの１つ又は組み合わせから成ることができる。
【００２３】
この例示している実施例において、顧客は、映画を賃借したいと思っている。前記顧客は、２４時間に無制限回数、前記コンテンツにアクセスすることができる資格を得たいとも思っており、これは、従来の態様においてビデオテープを貸す場合に、顧客が通常有する権利であって、即ち、著作権保護されたマテリアルを含むカートリッジを、ビデオショップから家に持ち帰る権利である。従って、前記デジタル権利は、「２４時間の無制限再生」の種類のものである。前記顧客は、前記権利に対して、前記小売店の店員に支払い、該小売店の店員は、「２４時間の無制限再生」の該デジタル権利をデジタルバウチャ内に記憶する。前記デジタル権利は、好ましくは、暗号化によって保護されており、該デジタル権利は、前記小売店が「在庫」に有している何かである。前記デジタルバウチャ書は、前記顧客に譲与される。これによって、この取引は完了し、前記バウチャは、既に使用される準備ができている。
【００２４】
図１は、デジタルバウチャ１００内に埋め込まれた無線周波数（RF）の放射をすることができる電子チップ１０１を示している。前記チップ１０１は、前記デジタル権利のようなデータを記憶し、ＲＦ検出器１０２は、該データに関するバウチャ１００をスキャンするのに使用される。データは、容易に、チップ１０１から削除される又はこれに記憶されることができる。ＲＦ検出器１０２は、バウチャ１００に向けられ、検出器１０２は、バウチャ１００によって受信される特定の周波数のスキャン信号を送信し、バウチャ１００内に埋め込まれているチップ１０１は、応答信号を、検出器１０２に送る。前記応答信号は、前記小売店の店員によってバウチャ１００内に記憶された前記データを含んでいる。ＲＦ検出器１０２は、コンピュータ１０３と通信し、該コンピュータ１０３に、バウチャ１００内に保持されている前記データが転送される１１０。
【００２５】
映画は、多数のコンテンツプロバイダからダウンロードされることができるので、前記ユーザは、ここで、コンピュータ１０３に、所望のコンテンツプロバイダのアドレスを供給しなくてはならない。前記コンテンツプロバイダのサーバ１０４は、特定のプロバイダによって所有されているコンテンツを記憶しているサーバであり得るが、複数のコンテンツプロバイダからのコンテンツを併せ持つサーバであっても良い。コンピュータ１０３は、前記デジタル権利を、コンテンツプロバイダのサーバ１０４に転送１１１する。サーバ１０４は、転送されたデータを受信し、これを処理する。前記サーバは、ここで、ユーザにデジタルコンテンツへのアクセス権を付与する。前記ユーザは、ここで、前記デジタルコンテンツ、即ち前記映画を、コンピュータ１０３にダウンロードする１１２。前記ユーザは、２４時間に無制限回数、前記映画を再生する前記権利を有する。前記ダウンロード１１２が完了した時から２４時間が経過している場合、前記ユーザは、前記デジタルコンテンツへのアクセス権をもはや有さない。前記映画のダウンロードに対する代替案は、前記ユーザに、前記コンテンツを前記コンテンツプロバイダのサーバ１０４から流させてやることである。オプションとして、前記ユーザが、デジタルコンテンツにアクセスする権利を有するための金額を表す数が、前記バウチャ内に記憶される。本発明内に含まれる装置のどれか２つ以上の間で、認証が行われることも可能であることに留意されたい。これには、例えば、識別番号、又は何らかの種類の暗号化若しくはデジタル署名の形態で、前記バウチャが何らかの識別子又は認証子を有している必要がある。認証は、典型的には、システム内の安全性を向上するのに使用される。
【００２６】
本発明によるデジタルバウチャの概念の代替的な実施例において、顧客は、ある映画に対する「２４時間の無制限再生」の権利を購入する。次いで、小売店の店員は、前記権利に加えて、何らかのあるコンテンツプロバイダにおける前記映画に対する参照を、記憶する。前記ユーザが、前記バウチャを、前記コンピュータに接続されている前記ＲＦ検出器によって読み出す場合に、該コンピュータは、ここで、前記コンテンツプロバイダのサーバへのＵＲＬアドレスのような形態の参照を有し、これによって、前記サーバとの接続を確立し、前記ユーザが措置を講じることなく、指定されたコンテンツをダウンロードすることができる。この実施例では、前記ユーザからの最小限の手作業しか必要としないので、有利である。
【００２７】
本発明によるデジタルバウチャの概念の更に他の実施例において、顧客は、５０ユーロ相当の「無制限の再生」の種類のデジタル権利を購入したいと思っている。前記顧客は、小売店の店員に５０ユーロを支払い、該小売店の店員は、前記デジタル権利と金額とを、デジタルバウチャ内に記憶する。前記デジタル権利と、前記金額は、好ましくは、暗号化によって保護されている。前記デジタルバウチャは、前記顧客に譲与される。これによって、この取引は完了し、前記バウチャは、既に使用される準備ができている。上述したように、前記ユーザは、前記ＲＦ検出器と前記コンピュータとによって、いかなるコンテンツプロバイダともコンタクトをとることができる。前記ユーザは、５０ユーロ相当の「無制限の再生」の種類の権利を有しているので、該ユーザは、前記プロバイダから、５０ユーロ相当の、書籍、映画及び音楽のようなあらゆるコンテンツをダウンロードするように選択することができ、前記コンテンツへの無制限のアクセス権を有する。この実施例は、前記顧客が、前記実際のコンテンツも、コンテンツプロバイダ又はコンテンツの種類さえも、特定しなくてよいので、有利である。
【００２８】
本発明によるデジタルバウチャの概念の他の実施例によれば、前記アクセス制御情報は、単純な識別番号から成る。上述したように、顧客が、小売店に立ち寄った場合、該顧客は、いくらかの金額相当の、何らかの種類のデジタル権利を購入する可能性を有している。前記デジタル権利は、様々な異なる種類の権利（例えば、「無制限の再生」「コピーワンス、再生禁止」、「ＣＤ−Ｒへの焼き込み」及び「放送」等）のうちの１つ又は組み合わせから成ることができる。前記顧客は、１０ユーロ相当の「無制限の再生」の権利を購入するとすれば、前記小売店の店員は、この注文を、コンテンツプロバイダのサーバに登録し、該サーバは、該店員に、識別番号を返す。前記コンテンツプロバイダのサーバは、特定のプロバイダによって所有されているコンテンツを記憶するサーバであることができるが、複数のコンテンツプロバイダからのコンテンツを併せ持つサーバであっても良い。ここで、前記識別番号、デジタル権利の種類、及び金額が、前記コンテンツプロバイダのサーバにおいて記憶される。前記識別番号は、前記デジタルバウチャ内に入れられ、該デジタルバウチャは、前記顧客に譲与され、この取引は完了する。
【００２９】
上述したように、前記バウチャ内に記憶された前記データは、ＲＦ検出器によってコンピュータに転送される。前記コンピュータは、前記識別番号を、前記コンテンツプロバイダのサーバに転送する。前記バウチャが、前記コンテンツプロバイダのアドレスを含む場合、前記ユーザは、このアドレスを前記コンピュータに、手入力で供給しなくて良い。
【００３０】
前記サーバは、この特定の識別番号に関連づけられている属性、即ち、「価格：１０ユーロ」及び「権利：無制限の再生」を有する。ここで、前記ユーザは、例えば、前記コンテンツプロバイダのサーバから、２．５ユーロ相当の曲と、これを、無制限回数、再生する前記権利とをダウンロードする。前記サーバは、この購入を登録し、特定の識別番号に関連付けられている価格を、２．５ユーロだけデクリメントする。前記サーバは、ここで、この識別番号に対して、属性「価格：７．５ユーロ」及び「権利：無制限の再生」を保持する。この金額が消費された場合、又は前記識別番号が有効である期間（例えば、１年間）が経過している場合は、前記サーバは、前記識別番号と、これに関連する前記属性とを抹消する。従って、前記デジタルバウチャは、無効にされており、前記ユーザは、もはやこれを使用することができない。この実施例は、前記アクセス制御情報は、単純な識別番号から成り、これは、非常に、扱い及び頒布がし易いという利点を有する。前記デジタルバウチャに関連する金額は、該金額がゼロになるまで、継続的に減少されることができるという利点も有する。
【００３１】
図２は、本発明によるデジタルバウチャの概念の、更に他の実施例を示している。コンテンツは、コンテンツプロバイダのサーバ２０４から（場合により、コンピュータ（図示略）を介して）、音響システム２０３内のハードディスクにダウンロード２１２される。適切なデジタル権利を含むデジタルバウチャ２００が、購入される。ＲＦ検出器２０２は音響システム２０３に接続されており、ダウンロードされた前記コンテンツは、音響システム２０３が、ＲＦ検出器２０２を介して、前記デジタルバウチャ２００と通信している２１０限り、再生されることができるのみである。これは、前記コンテンツが、何らかの他の装置に移動され、該装置上でアクセスされることができるので、有利であるが、バウチャ２００が存在しない場合、前記コンテンツは、もはやアクセスされることはできない。
【００３２】
当業者にとって明瞭に理解されるように、前記デジタルバウチャの売り手は、必ずしも小売店によって構成されない。顧客がある金額に対する権利の購入を求める自動販売機であって、該自動販売機が該顧客に対してデジタルバウチャを生成する自動販売機を、想像することができるのであろう。顧客が、デジタル権利又は識別番号のような形態のアクセス制御情報を受信し、これを更なる頒布用のバウチャ内に記憶することを、コンテンツプロバイダに対して求めることも可能である。前記デジタルコンテンツは、いかなる種類であっても良い、例えば、インターネット経由でダウンロードされる曲、ペーパービューチャネルを介する映画、書籍、ソフトウェア、アニメーション、宝くじのチケット、及びオンラインゲーム等でも良い。更に、前記デジタルバウチャは、ボタン、カード、ＣＤ、包装材料上のステッカー、及びマガジン等のような、いかなる形態もとり得る。
【図面の簡単な説明】
【００３３】
【図１】本発明の実施例によるデジタルバウチャの概念を示している。
【図２】本発明の他の実施例によるデジタルバウチャの概念を示している。
【図１】
2006504174.tif 000003
【図２】
2006504174.tif 000004
【国際調査報告】
2006504174.tif 000005
2006504174.tif 000006
2006504174.tif 000007